(57)【特許請求の範囲】
【請求項１】
沸騰水型原子炉の原子炉圧力容器内に設置された炉心シュラウド上に配置され、炉内構造物の据付作業を行う作業足場を備えた炉内構造物据付け用足場装置において、この作業足場は、炉心シュラウドの上方に配置される上段作業足場と、この上段作業足場に吊り下げられて前記炉心シュラウド内に配置される下段作業足場とを備え、上段作業足場の下部に、炉心シュラウドの上部に設置すべき上部格子板を着脱可能に保持する上部格子板保持具を設けたことを特徴とする炉内構造物据付け用足場装置。
【請求項２】
請求項１記載の炉内構造物据付け用足場装置において、上部格子板保持具は、上段作業足場の下面側にて上部格子板を支持する支持部材と、前記上部格子板の外縁部を外周側から固定する固定部材とを有することを特徴とする炉内構造物据付け用足場装置。
【請求項３】
請求項１または２記載の炉内構造物据付け用足場装置において、下段作業足場は、上部格子板の格子間隙間を上下方向に通過できる組立ておよび分解可能な部材により構成され、上段作業足場は前記部材を上下方向に挿通できる開口部を有することを特徴とする炉内構造物据付け用足場装置。
【請求項４】
沸騰水型原子炉の原子炉圧力容器内への炉内構造物および上部格子板の据付に際し、炉内構造物の据付に使用する上段作業足場の下方に上部格子板を上部格子保持具によって保持させて炉心シュラウドの上方に設置し、次いで原子炉圧力容器の開口部をカバープレートで覆い、この状態で上段作業足場およびこの上段作業足場に吊下げられて炉心シュラウドないに配置された下段作業足場を使用して炉心シュラウド付近の炉内構造物の据付け作業を行った後、カバープレートに取付けた吊り具を用いて上部格子板を下降させて炉心シュラウドに据付け、上段作業足場および下段作業足場を使用した炉内構造物の据付作業と炉心シュラウドへの上部格子板据付作業とを原子炉圧力容器の開口構造をカバープレートで覆ったまま連続して行うことを特徴とする炉内構造物据付け方法。
【請求項５】
請求項１から３までのいずれかに記載の炉内構造物据付け用足場装置を使用して、請求項４記載の作業を行うことを特徴とする炉内構造物据付け方法。
【発明の詳細な説明】
【０００１】
【発明の属する技術分野】
本発明は、沸騰水型原子力発電プラントの建設時等において、原子炉圧力容器内で配管溶接その他の原子炉内部構造物（以下炉内構造物という）の据付けを行う場合に利用する炉内構造物据付け用足場装置および炉内構造物据付け方法に関する。
【０００２】
【従来の技術】
従来、沸騰水型原子力発電プラントの建設等の際に、原子炉圧力容器（ＲＰＶ）内に炉内構造物を据付ける場合には、例えば図７に示すように、ＲＰＶ本体１の内部に炉心シュラウド２および炉心支持板３を設置した状態で、作業者が炉内構造物である給水スパージャ４、コアスプレイ５、ＬＰＣＩ（低圧注水系）カップリング１１等の溶接を、足場６上において行っている。
【０００３】
この作業の際には、ＲＰＶ本体１の上部開口が大型揚重機で吊り降したＲＰＶカバープレート７によって覆われ、ＲＰＶカバープレート７には、上部クリーンハウス８が設置される。
【０００４】
そして、溶接等による炉内構造物の据付け作業がある程度進行した後に、炉心シュラウド２の上端部に上部格子板を設置する。この上部格子板を据付ける手順としては、図８に示すように、炉内に一旦据付けた前記の足場およびＲＰＶカバープレート７を大型揚重機９にて撤去した後、同様に大型揚重機９を使用して上部格子板１０の炉内への搬入および据付けを行い、その後、再度ＲＰＶカバープレート７を復旧している。
【０００５】
また、上述した従来の炉内構造物据付け用足場装置６は、図９に示すように、複数の足場パイプ１２からなる脚と、この脚上に設けられた平坦な作業足場１３とによって構成され、この作業足場１３は、鋼製アングル，チャンネル，チェッカープレートおよび木材等からなっている。
【０００６】
【発明が解決しようとする課題】
このように、従来では平坦な１枚構造の作業足場１３とこれを支持する脚としての足場パイプ１２とからなる炉内構造物据付け用足場装置６を炉心シュラウド２上に単に設置して炉内構造物の据付けを行うことから、上部格子板１０の据付けに際しては、一旦設置した炉内構造物据付け用足場装置６およびＲＰＶカバープレート７を大型揚重機９にて取外し、その後、大型揚重機９を利用して上部格子板１０を炉内に搬入して据付ける必要があった。
【０００７】
したがって、従来技術においては、上部格子板１０の搬入据付けを実施するために、大型揚重機９を準備し、炉内構造物据付け用足場装置６およびＲＰＶカバープレート７を取り外す作業が発生することから、作業が大掛かりになるとともに、大型揚重機９を重複して使用するという余分な手間がかかり、作業能率上問題があった。
【０００８】
本発明はかかる従来の事情に対処してなされたものであり、上部格子板の搬入据付け等に際して大型揚重機の使用頻度を少くし、作業性を大幅に向上させることができる炉内構造物据付け用足場装置および炉内構造物据付け方法を提供することを目的とする。
【０００９】
【課題を解決するための手段】
上記目的を達成するため、請求項１の発明では、沸騰水型原子炉の原子炉圧力容器内に設置された炉心シュラウド上に配置され、炉内構造物の据付作業を行う作業足場を備えた炉内構造物据付け用足場装置において、この作業足場は、炉心シュラウドの上方に配置される上段作業足場と、この上段作業足場に吊り下げられて前記炉心シュラウド内に配置される下段作業足場とを備え、上段作業足場の下部に、炉心シュラウドの上部に設置すべき上部格子板を着脱可能に保持する上部格子板保持具を設けたことを特徴とする炉内構造物据付け用足場装置を提供する。
【００１１】
請求項２の発明では、請求項１記載の炉内構造物据付け用足場装置において、上部格子板保持具は、上段作業足場の下面側にて上部格子板を支持する支持部材と、前記上部格子板の外縁部を外周側から固定する固定部材とを有することを特徴とする炉内構造物据付け用足場装置を提供する。
【００１２】
請求項３の発明では、請求項１または２記載の炉内構造物据付け用足場装置において、下段作業足場は、上部格子板の格子間隙間を上下方向に通過できる組立ておよび分解可能な部材により構成され、上段作業足場は前記部材を上下方向に挿通できる開口部を有することを特徴とする炉内構造物据付け用足場装置を提供する。
【００１５】
請求項４の発明では、沸騰水型原子炉の原子炉圧力容器内への炉内構造物および上部格子板の据付に際し、炉内構造物の据付に使用する上段作業足場の下方に上部格子板を上部格子保持具によって保持させて炉心シュラウドの上方に設置し、次いで原子炉圧力容器の開口部をカバープレートで覆い、この状態で上段作業足場およびこの上段作業足場に吊下げられて炉心シュラウドないに配置された下段作業足場を使用して炉心シュラウド付近の炉内構造物の据付け作業を行った後、カバープレートに取付けた吊り具を用いて上部格子板を下降させて炉心シュラウドに据付け、上段作業足場および下段作業足場を使用した炉内構造物の据付作業と炉心シュラウドへの上部格子板据付作業とを原子炉圧力容器の開口構造をカバープレートで覆ったまま連続して行うことを特徴とする炉内構造物据付け方法を提供する。
【００１６】
請求項５の発明では、請求項１から３までのいずれかに記載の炉内構造物据付け用足場装置を使用して、請求項４記載の作業を行うことを特徴とする炉内構造物据付け方法を提供する。
【００１７】
【発明の実施の形態】
以下、本発明に係る炉内構造物据付け用足場装置および炉内構造物据付け方法の実施形態について、図１〜図６を参照して説明する。なお、原子炉圧力容器および炉内構造物については従来例の説明として示した図７〜図９の符号と同一の符号を使用し、それらの重複説明は省略する。
【００１８】
第１実施形態（図１、図２）
図１は、本発明の第１実施形態による炉内構造物据付け用足場装置を原子炉圧力容器内に設置した状態を示す概略的な構成図であり、図２は図１に示した足場装置の拡大図である。
【００１９】
本実施形態は炉内構造物据付け用足場装置の基本的な構成についてのものである。すなわち、図１および図２に示すように、本実施形態の炉内構造物据付け用足場装置においては、ＲＰＶ本体１内に設置された炉心シュラウド２に搭載される作業足場２１が、炉心シュラウド２の上方に配置される上段作業足場２２と、この上段作業足場２２に吊り下げられ炉心シュラウド２内に配置される下段作業足場２３とにより２段構造とされている。そして、上段作業足場２２の下面側に、炉心シュラウド２の上部に設置すべき上部格子板１０が上部格子板保持具２４によって着脱可能に保持されている。
【００２０】
上段作業足場２２は、炉心シュラウド２のシュラウドサポートリング２ａと略同一径の円板状とされ、この上段作業足場２２の下面側にその周縁部に沿って設けられた複数の足場パイプからなる脚２５により、シュラウドサポートリング２ａ上に同軸的配置で着脱可能に搭載されている。なお、上段作業足場２２は、鋼製アングル，チャンネル，チェッカープレートおよび木材等からなっており、この上段作業足場２２には、図示しない梯子等が炉心シュラウド２の側方等から架設され、その上に作業者が昇降できるようになっている。そして、この上段作業足場２２の上では、作業者が例えば炉内構造物である給水スパージャ４、コアスプレイ５等の溶接による据付け作業を行うことができる。
【００２１】
また、下段作業足場２３は炉心シュラウド２の内径よりも小径な円板状とされており、垂直なロッド状の複数の連結具２６によって上段作業足場２２から吊下げられ、炉心シュラウド２内の例えばシュラウドサポート２ａ付近に配置されている。なお、下段作業足場２３にも、図示しない梯子等が炉心シュラウド２の上方から架設され、その上に作業者が往来できるようになっている。そして、この下段作業足場２３の上では、例えば炉内構造物であるＬＰＣＩカップリング１１等の溶接、その他の据付け作業を行うことができる。また、下段作業足場２３は、例えば複数の分解可能な部材によって組立てられ、作業後には分解された各部材を炉心シュラウド２の上方に取り出すことができるようになっている。
【００２２】
さらに、上部格子板保持具２４は、上段作業足場２２または脚２５等にブラケット状に突出して設けられており、上部格子板１０の周縁部を支持するとともに、その外周側を固定するようになっている。また、上部格子板１０は、チェンブロック、ワイヤ等を用いた吊り具２７によってＲＰＶカバープレート７に吊下げられている。
【００２３】
原子炉建設時の炉内構造物据付け作業の際には、上下段作業足場２２，２３を上部格子板１０支持状態でＲＰＶ本体１内に吊り降す。これにより、炉心シュラウド２の上方に予め上部格子板１０を一時仮置きした状態とし、この状態で上段作業足場２２を使用して給水スパージャ４、コアスプレイ５等の溶接作業等を行うとともに、下段作業足場２３を使用してＬＰＣＩカップリング１１等の溶接作業等を行う。この際、上部格子板１０は下段作業足場２３の上方に仮置き状態で配置されているので、その下段作業足場２３上において、上部格子板１０の健全性点検等を行うことができる。
【００２４】
そして、所定の作業が終了した後には、下段作業足場２３上にて上部格子板保持具２４の取外し作業を行い、その後、吊り具２７の操作等によって上部格子板１０を下降させ、炉心シュラウド２に据付けることができる。その後、他の作業が終了した後、上下段作業足場２２，２３を撤去すればよい。
【００２５】
このような本実施形態によると、上部格子板１０を既に炉内構造物据付け用足場装置に組込んだ状態で、上下足場２２，２３を使用した炉内構造物据付け作業を行った後、これに続けて上部格子板１０の炉心シュラウド２への据付け作業を一連の作業として行うことができる。したがって、従来技術と異なり、ＲＰＶカバープレート７および作業足場２２，２３を大型揚重機により一旦取り外す等の大掛かりな作業を必要とすることがなく、作業性を大幅に向上することができる。
【００２６】
第２実施形態（図３）
図３は、本発明の第２実施形態による炉内構造物据付け用足場装置を示す説明図である。図３（Ａ）は上段作業足場を示す構成図であり、図３（Ｂ）は図３（Ａ）のＢ部拡大図である。なお、装置全体の構成については、図１および図２で示した第１実施形態と略同様である。
【００２７】
図３（Ａ），（Ｂ）に示すように、本実施形態では、上部格子板保持具２４が、上段作業足場２２の下面から垂下したブラケット２８と、このブラケット２８の下端に接合した水平な支持台２９とを有し、全体として断面Ｌ字形をなしている。支持台２９はブラケット２８に固定ボルト３０によって着脱可能に締結され、この支持台２９の上面には例えばゴム板等からなる上部格子板保護板３１が貼付けてあり、その上に上部格子板１０が支持されている。
【００２８】
また、ブラケット２８には外側方から押しボルト３２が螺挿してあり、この押しボルト３２の先端をブラケット２８に貫通させて上部格子板１０の外縁面に圧接させることにより、上部格子板１０を中心側に向って押圧固定し、所定位置に位置決めしてある。
【００２９】
なお、上段作業足場２２の下面と上部格子板１０の上面との間には、弾性材等からなる保護部材３５が設けられている。
【００３０】
このような構成によると、上部格子板１０を上段作業足場２２の下部に安定保持することができるとともに、上部格子板保護板３１および保護部材３５によって損傷なく保護して安全に支持することができる。また、ブラケット２８の側方に設けた押しボルト３２によって上部格子板１０の支持位置を容易かつ確実に調整することができ、さらに、ブラケット２８の下端に設けた固定ボルト３０を抜き差しすることによって、上部格子板１０を容易に支持状態および解放状態とすることができる。
【００３１】
したがって、本実施の形態によれば、上部格子板１０の早期搬入、据付け、仮置き、解放および保護養生等を安定状態で、能率よく、容易に、かつ安全に行うことができる。
【００３２】
第３実施形態（図４）
図４は、本発明の第３実施形態を示す説明図である。
【００３３】
この図４に示すように、本実施形態の炉内構造物据付け用足場装置においては、下段作業足場２３が木材その他の材料からなる複数の組立ておよび分解可能な部材２３ａによって構成されており、これらの各部材２３ａは上部格子板１０の格子間隙間１０ａを上下方向に通過できる大きさとされている。また、上段作業足場２２には例えば複数の格子間隙間１０ａを含める大きさの開口部３３が形成されており、この開口部３３を介して下段作業足場２３の各部材２３ａが上段作業足場２２に対しても上下方向に挿通できるようになっている。
【００３４】
そして、例えば下段作業足場２３上での炉内構造物据付け作業が終了したような場合には、下段作業足場２３を分解して各部材２３ａごとに分離させ、図４に示すように、分離した各部材２３ａを上方から吊下げたワイヤ３４に装着して、上部格子板１０の格子間隙間１０ａおよび上段作業足場２２の開口部３３を介して上方に搬出することができる。なお、ワイヤ３４は、例えば前述したＲＰＶカバープレート７に設けた搬出入用チェンブロック等によって昇降操作することができる。
【００３５】
したがって、本実施形態によれば、上部格子板１０を炉内へ搬入した後においても、下段作業足場２３をＲＰＶ本体１外へ容易に搬出することができる。
【００３６】
第４実施形態（図５）
図５は、本発明の第４実施形態を示す説明図である。本実施形態の炉内構造物据付け用足場装置は、上部格子板１０を吊り下げるための吊り具２７を、より具体化したものである。
【００３７】
この図５に示すように、本実施形態においては、吊り具２７が、ＲＰＶカバープレート７の下部に設置された吊ピース３６と、この吊りピース３６に取付けられたチェンブロック３７と、このチェンブロック３７から垂下したワイヤ３８とによって構成されている。
【００３８】
そして、各ワイヤ３８が、上段作業足場２２に設けられた孔を通して下方に導かれ、そのワイヤ３８の下端部が上部格子板１０に連結されている。他の構成については、第１実施形態と略同様である。
【００３９】
上部格子板１０の据付けの際には、チェンブロック３７を操作してワイヤ３８を昇降させることにより、ワイヤ３８の下端に連結した上部格子板１０の高さ調整を行い、炉心シュラウド２に据付ける。これにより、ＲＰＶカバープレート７に設けたチェンブロック３７を操作するだけで、上部格子板１０の高さ調整を行い、炉心シュラウド２に容易に据付けることができる。
【００４０】
したがって、本実施形態によれば、オペレーションフロアへ大型揚重機を用意する必要がなく、またＲＰＶカバープレート７および上下作業用足場２２，２３を取り外す必要がなく、上部格子板１０を容易に炉心シュラウド２に据付けることができる。
【００４１】
第５実施形態（図６）
図６は、本発明の第５実施形態を示す説明図である。本実施形態は、前述した上下段作業足場２２，２３をＲＰＶ本体１または炉心シュラウド２に当接させて装置使用時の安定化を図るものである。
【００４２】
すなわち、図６に示すように、本実施形態の炉内構造物据付け用足場装置においては、上段作業足場２２の外周部に、ＲＰＶ本体１の内面に当接する固定具としての上段突張りボルト３９が設けられている。また、下段作業足場２３の外周部には、炉心シュラウド２の内面に当接する固定具としての下段突張りボルト４０が設けられている。他の構成は前記各実施形態と略同様である。
【００４３】
このような構成によると、上下段作業足場２２，２３の外周部が上下段突張りボルト３９，４０によって炉内に固定保持されるため、例えば上部格子板１０の仮置き時の重心が高い位置に有る場合においても、地震等による横揺れに対し、足場としての安定性を高めることができる。
【００４４】
したがって、本実施の形態によれば、上部格子板仮置き状態下で地震等の横揺れが発生した場合の足場安定性保持が有効に図れる。
【００４５】
【発明の効果】
以上で詳述したように、本発明によれば、上部格子板の搬入据付け等に際して大型揚重機の使用頻度を少くし、作業性を大幅に向上することができるという効果が奏される。
【００４６】
すなわち、請求項１記載の発明によれば、作業足場の直下に上部格子板を仮置きでき、上部格子板の早期搬入、すなわち後入れ不用とすることによりＲＰＶカバープレートおよび炉内構造物据付け用足場装置の搬出作業が削減され、作業効率の向上が図れる。請求項２記載の発明によれば、炉内構造物据付け用足場装置を少なくとも上下２段有することにより、上段作業足場直下の仮置き中の上部格子板の健全確認、点検等も行える。請求項３記載の発明によれば、上部格子板保持具により上部格子板を上段作業足場の直下に保持することができ、上部格子板据付け時に一部解放することによって上部格子板を所定の位置へ据付けることができる。また、上部格子板仮置き中の水平方向での移動を防止することができる。請求項４記載の発明によれば、下段作業足場の構成部材を分解することにより、炉外への搬出を容易に行うことができる。請求項５記載の発明によれば、ＲＰＶカバープレートに設けた吊り具の利用により、大型揚重機を利用せずに、かつＲＰＶカバープレートおよび足場を取り外す必要なく上部格子板を据付けることができる。請求項６記載の発明によれば、足場を固定具により炉内に固定保持することにより、地震等の横揺れに対する足場の安定性を向上することができる。請求７および８記載の発明によれば、作業足場を使用した炉内構造物の据付け作用および上部格子板据付け作業を一連の連続した作業として行うことにより、作業性を大幅に向上することができる。
【図面の簡単な説明】
【図１】本発明の第１実施形態による炉内構造物据付け用足場装置を示す全体構成図。
【図２】図１に示した第１実施形態による炉内構造物据付け用足場装置の要部を拡大して示す斜視図。
【図３】（Ａ）は本発明の第２実施形態による上部格子板保持具を示す断面図、（Ｂ）は（Ａ）のＢ部を示す詳細断面図。
【図４】本発明の第３実施形態による下段作業足場解体時の概念図。
【図５】本発明の第４実施形態によるＲＰＶカバープレートを利用した上部格子板据付け手順を示すＲＰＶ断面概念図。
【図６】本発明の第５実施形態による炉内構造物据付け用足場装置横揺れ防止用押しボルトの設置位置を示すＲＰＶ断面概念図。
【図７】従来技術による炉内構造物据付け状況を示すＲＰＶ断面図。
【図８】従来技術による大型揚重機を利用した上部格子板据付け手順を示すＲＰＶ断面図。
【図９】従来技術による炉内構造物据付け用足場装置を示す斜視図。
【符号の説明】
１  ＲＰＶ本体
２  炉心シュラウド
２ａ  シュラウドサポートリング
３  炉心支持板
４  給水スパージャ
５  コアスプレイ配管
６  従来の作業足場
７  ＲＰＶカバープレート
８  上部クリーンハウス
９  大型揚重機
１０  上部格子板
１０ａ  格子間隙間
１１  ＬＰＣＩカップリング
１２  足場パイプ
２１  作業足場
２２  上段作業足場
２３  下段作業足場
２３ａ  足場構成用部材
２４  上部格子板保持具
２５  脚
２６  連結具
２７  吊り具
２８  ブラケット
２９  支持台
３０  固定ボルト
３１  上部格子板保護板
３２  押しボルト
３３  開口部
３４  ワイヤ
３５  吊り具
３６  吊ピース
３７  チェンブロック
３８  ワイヤ
３９  上段突張りボルト
４０  下段突張りボルト
【図１】
0004327337.tif 000002
【図２】
0004327337.tif 000003
【図３】
0004327337.tif 000004
【図４】
0004327337.tif 000005
【図５】
0004327337.tif 000006
【図６】
0004327337.tif 000007
【図７】
0004327337.tif 000008
【図８】
0004327337.tif 000009
【図９】
0004327337.tif 000010